(57)【要約】      （修正有）【課題】設置が簡単で、操作、使用がシンプルであり、容器内容物が外にしみ出したり、漏れ出したりすることがない密封効果を有する容器キャップ密封装置を提供する。【解決手段】容器キャップ密封装置は、嵌入部２０及びふた部分３０を備える。嵌入部は、容器の容器出口に対応する嵌合部２０１と、嵌合部の外端において外に向かって広がる位置固定部（環状突条）２０２とを有する。ふた部分３０は、容器の容器口部に対応すると共に、内縁に結合部３０１を有する。結合部の内端には位置固定槽（環状溝）３０２が設けられ、位置固定槽は嵌入部の位置固定部２０２が嵌入可能に構成されている。位置固定部は、位置固定槽内において緩んで脱落することなく、回転可能な形態で位置固定される。【選択図】図４
0003231705.tif 000002
【実用新案登録請求の範囲】
【請求項１】
嵌入部及びふた部分を備えた容器キャップ密封装置において、
前記嵌入部は嵌合部を有し、前記嵌合部は、対応する容器の容器出口に対応し、前記嵌合部の外端には外に向かって広がる位置固定部を有しており、
前記ふた部分は、対応する容器の容器口部に対応し、内縁に結合部を有し、前記結合部の内端には位置固定槽が設けられ、前記位置固定槽は前記嵌入部の位置固定部が嵌入可能に構成されており、前記位置固定部は、前記位置固定槽内において緩んで脱落することなく、回転可能な形態で位置固定される、ことを特徴とする容器キャップ密封装置。
【請求項２】
前記嵌入部の位置固定部の外縁は、対応する容器の容器口部の最外端より大きいことを特徴とする請求項１に記載の容器キャップ密封装置。
【請求項３】
前記嵌入部は、金属溶出のないプラスチック材料製であることを特徴とする請求項１に記載の容器キャップ密封装置。
【考案の詳細な説明】
【技術分野】
【０００１】
本考案は、容器キャップ密封装置の改良に関し、特に、設置が簡単で、操作、使用がシンプルであり、容器内容物が外にしみ出したり、漏れ出したりすることがない密封効果を有すると同時に、容器のキャップを開けた時に内容物が飛び散って人体にかかることがないため使用上安全であり、嵌入部が容器出口との回転摩擦により削られて屑が発生しないため、容器内容物の品質を保護して、安全性を高める効果を有する、実用的で、理想性及び進歩性を有する容器キャップ密封装置に関する。
【背景技術】
【０００２】
容器キャップ密封装置の形態は多くの種類がある。主に、容器内容物の性質によって異なり、主に、ふた部分を備えて、対応する容器の注ぎ口部分において分離するか、結合形態かに分かれる場合である。このうち、容器内容物が容易に外に漏れ出したり、しみ出したりしないようにするのが、現在最もよく見られる密封実施方式である。容器の注ぎ口に、粘着または高周波方式で、シーリングフィルムやシーリングパッドを設置固定して、前記シーリングフィルムやシーリングパッドが完全に容器の出口を密封することで、前記容器内容物が外に漏れ出したり、滲み出したりしない密封効果を達成する。前記実施方式は、確かに、多くの容器内容物に対して密封効果を有するものの、現在最も普及しているキャップシーリングフィルム、キャップシーリングパッドは、アルミホイル材質であり、前記アルミホイルシーリングフィルム、アルミホイルシーリングパッドは、長期使用後、一部の容器内容物（例えば、アルコール）に対して容易に金属溶出現象が発生することが知られている。そして、このことは、直接内容物の品質に影響を与えたり、その内容物が人体に悪い影響を与えたりする虞がある。このため、テフロン（登録商標）材質のシーリングフィルムまたはシーリングパッドに改める必要がある。しかしながら、そのためには、コストが高くなるという問題が生じる。
【０００３】
このため、上述の欠点を改善するために、プラスチック材料の嵌入部を容器出口に嵌入する方式が採用された。図１、図２、図３に示したように、この容器は、容器１０の容器出口１０１に対応する嵌入部２０を有し、前記嵌入部２０は、金属が溶出するのを回避すると同時に、ふた部分３０と分離して単独で緊密に容器出口１０１に嵌入されて結合することにより、ふた部分３０が容器１０の容器口部１０２に対応して設置結合された後、容器内容物が、同時に外に滲み出たり、漏れ出たりせず、品質の安定を図れ、安全であるという効果を有する。この実施方式は、確かに上述の欠点を改善する効果を有するものの、前記嵌入部２０とふた部分３０は、互いに分離の形態を呈し、それぞれ容器１０の容器出口１０１と容器口部１０２に結合する。容器内容物を使用するために、ふた部分３０を開ける時、前記容器出口１０１に緊密に結合している嵌入部２０は、手または媒介物を介してこれを開ける必要がある。これは、容器内容物を使用する際に不便が生じると同時に、力の入れ具合が悪いと、容器内容物があふれ出たり、飛び散ったり、または、落下したりするほか、時に人体にかかったりして使用の際の不便や危険を生じる虞がある。
【０００４】
また、上述の嵌入部とふた部分が相互に分離しているという欠点を改善するべく、嵌入部とふた部分を一体化することで、前記ふた部分が容器口部から開けられて分離した時、前記嵌入部も共に容器出口から離脱することで、容器内容物の使用時の利便性を高める効果を達成した。しかしながら、この実施方式は、回転して開閉するふた部分に応用された場合、前記嵌入部とふた部分が一体であることにより、前記ふた部分は、容器口部を逐一回転閉合、または、容器口部から逐一回転させて開けるにかかわらず、前記嵌入部は、前記ふた部分に伴って共に回転して容器出口から逐一開閉が行われることにより、必然的に前記嵌入部が容器出口と絶えず摩擦し、さらに、摩擦の過程において逐一粉屑が生じ、前記粉屑がさらに嵌入部が容器出口から離脱する際に容器内に落ち込んで、容器内容物が汚染されたり、容器内容物の品質に影響したりすることが考えられる。
【先行技術文献】
【特許文献】
【０００５】
【特許文献１】（特になし）
【考案の概要】
【考案が解決しようとする課題】
【０００６】
したがって、本考案は、従来の欠点を改善して、設置が簡単で、操作、使用がシンプルであり、容器内容物が外にしみ出したり、漏れ出したりすることがない密封効果を有すると同時に、容器のキャップを開けた時に内容物が飛び散って人体にかかることがないため使用上安全であり、嵌入部が容器出口との回転摩擦により削られて屑が発生しないため、容器内容物の品質を保護して、安全性を高める効果を有する、実用的で、理想性及び進歩性を有する容器キャップ密封装置を提供することを課題とする。
上記課題を解決するため、本考案は、従来の欠点を改善して、容器内容物の使用時の利便性、安全性を高めると同時に、容器内容物がキャップ密閉材料の粉屑に汚染されることなく、品質を保全する効果を有する容器キャップ密封装置の改良を提供することを目的とする。
【課題を解決するための手段】
【０００７】
上記目的を達成するため、本考案は、ふた部分及び嵌入部を備える。前記ふた部分は、結合部の内端に位置固定槽有する。前記嵌入部は、嵌合部外端に外に向かって広がる位置固定部を有し、前記位置固定部は、回転しても外れない形態で、前記位置固定槽内に位置固定されて、前記嵌入部の嵌合部は、容器出口に緊密に嵌入されて、前記位置固定部は、回転しても外れない形態で前記位置固定槽内に設置されて、前記ふた部分は対応する容器口部に結合されたのち、前記共に力を受ける嵌入部は、回転しない線型性移動により、前記容器出口を出入りすることにより、所定のシーリング効果を達成すると同時に、容器内容物の使用時の利便性を高め、さらに、前記容器内容物が容易に外に飛び散って人体にかかったりするのを回避して人体への安全性が高く、前記嵌入部と前記容器出口の間に回転による摩擦で粉屑が発生することがないため、容器内容物の品質の保全及び使用の安全性が高いことを特徴とする。
【考案の効果】
【０００８】
このように、本考案は、所定のシーリング効果を達成すると同時に、容器内容物の使用時の利便性を高め、さらに、前記容器内容物が容易に外に飛び散って人体にかかったりするのを回避して人体への安全性が高く、前記嵌入部と前記容器出口の間に回転による摩擦で粉屑が発生することがないため、容器内容物の品質の保全及び使用の安全性が高い。
【図面の簡単な説明】
【０００９】
【図１】従来の嵌入部及びふた部分が相互に設置される構造を示した図である。
【図２】従来の嵌入部及びふた部分が相互に容器に設置される構造を示した図である。
【図３】従来のふた部分が容器から分離する構造を示した図である。
【図４】本考案の嵌入部及びふた部分が相互に設置される実施例の構造を示した図（断面図）である。
【図５】本考案の嵌入部及びふた部分が容器に設置される実施例の構造を示した図（一）である。
【図６】本考案の嵌入部及びふた部分が容器に設置される実施例の構造を示した図（二）である。
【図７】本考案の嵌入部及びふた部分が容器から分離される実施例の構造を示した図である。
【考案を実施するための形態】
【００１０】
本考案の目的、特徴及び効果を更に詳しく述べるために、図を参照しながら説明する。図４、図５を参照しながら説明する。本考案の改良された容器キャップ密封装置は、嵌入部２０及びふた部分３０を備える。
【００１１】
このうち、前記嵌入部２０は、金属溶出のない材料（例えば、プラスチック材料）により製作されて、嵌合部２０１を有する。前記嵌合部２０１は、対応する容器１０の容器出口１０１に対応して、前記容器出口１０１に緊密に嵌入して密封作用を有するか、または前記容器出口１０１から離脱することで、前記容器出口１０１を開ける。前記嵌合部２０１の外端には外に向かって広がる位置固定部２０２を有し、前記位置固定部２０２の外縁は、容器１０の容器口部１０２に対応する最外端１０２１より大きいことで、嵌入部２０の嵌合部２０１が容器１０の容器出口１０１に対応した後、前記位置固定部２０２の外縁が前記容器口部１０２の最外端１０２１の外に突出する。
【００１２】
前記ふた部分３０は、対応する容器１０の容器口部１０２に対応して、内縁に結合部３０１を有する。前記結合部３０１は、前記容器１０の容器口部１０２と結合されて固定されるか、または分離し、前記結合部３０１の内端には位置固定槽３０２が設けられている。前記位置固定槽３０２は、嵌入部２０の位置固定部２０２が嵌入するのに供されて、前記位置固定部２０２は、前記位置固定槽３０２内において、緩んで脱落することなく、回転可能な形態で位置固定される。
【００１３】
さらに、前記嵌入部２０の嵌合部２０１が、対応する容器１０の容器出口１０１に嵌入して進入した後、前記嵌入部２０の位置固定部２０２の外縁が、前記容器口部１０２の最外端１０２１の外に突出することで、ふた部分３０が前記容器１０の容器口部１０２に結合設置された時、力を受けた嵌入部２０が前記位置固定部２０２をスムーズに前記ふた部分３０の位置固定槽３０２に嵌入させて、さらに、簡単に脱落せずに回転可能な形態で安定的に位置固定される。
【００１４】
さらに、図６、図７を参照しながら説明する。容器１０の容器出口１０１に対してシーリングを実施する際、嵌入部２０の嵌合部２０１が、まず前記容器１０の容器出口１０１に正確に嵌入され、次に、ふた部分３０が前記容器１０の容器口部１０２に対応して設置されて、前記ふた部分３０の結合部３０１が、完全に前記容器口部１０２に結合固定されることで、前記ふた部分３０の結合部３０１は、容器１０の容器口部１０２に結合して固定設置されると、前記連帯して力を受ける嵌入部２０は、前記位置固定部２０２を直接前記ふた部分３０の位置固定槽３０２に嵌入させて、前記ふた部分３０が共に押されて位置を移動して、前記嵌合部２０１は、完全に前記容器１０の容器出口１０１内に嵌入されて、前記容器出口１０１は完全にその口が密封される効果を達成する。
【００１５】
さらに、前記ふた部分３０は、前記容器１０の容器口部１０２に結合されて固定設置され、前記嵌入部２０の嵌合部２０１は、前記容器１０の容器出口１０１に押し込まれて嵌入され、前記嵌入部２０の位置固定部２０２が前記ふた部分３０の位置固定槽３０２に嵌入されると、前記嵌入部２０の位置固定部２０２は、緩んで脱落することなく、回転可能な形態で、前記ふた部分３０の位置固定槽３０２内に位置固定されることで、前記ふた部分３０が、回転する形態で前記容器１０の容器口部１０２に設置される。すると、前記ふた部分３０は逐一回転して前記容器口部１０２にスムーズに結合して、前記ふた部分３０が押し付けた嵌入部２０は、前記嵌合部２０１が前記容器出口１０１に緊密に且つ高い摩擦性を有して嵌入されて、前記位置固定部２０２は、前記位置固定槽３０２内において自由に回転することで、全体が前記ふた部分３０と共に回転することがなく、且つ、前記ふた部分３０は線型性に位置を移動して動くだけで前記容器出口１０１から出る。このように、前記嵌入部２０は、前記ふた部分３０に伴って回転することがないため、前記容器出口１０１内で回転することで、当然前記嵌入部２０は前記容器出口１０１との間で回転して摩擦による粉屑が容器１内に落ち込むという状況を回避するため、容器内容物の品質を確保し、使用上の安全性も保持するという効果を達成する。
【００１６】
さらに、前記嵌入部２０は、前記ふた部分３０が前記容器口部１０２で開閉するのに伴い、線型性の移動方式で自動的に前記容器出口１０１に対して開閉動作を行うため、容器内容物の使用面において、実施の際の利便性を有すると同時に、前記容器内容物が容易に外に飛び出て人体にかかることがなく、使用上の安全性を確保する効果を有する。
【００１７】
さらに、前記嵌入部２０は、金属溶出が発生しないプラスチック材料により製作されているため、容器のシーリングに応用される際、容器内容物の品質が確保されると同時に使用上の安全性も確保できる。前記プラスチック材製の嵌入部２０は、量産に向いているだけでなく、コストの高いテフロン（登録商標）シーリングフィルムやテフロン（登録商標）シーリングマットに取って代わることが可能であるため、実施の際の高い経済効果を有する。
【００１８】
すなわち、本考案は少なくとも以下のメリットを有する。
【００１９】
１．設置が簡単で経済性が高い。
【００２０】
２．操作、使用がシンプルで、便利且つ実施の際の敏捷性を有する。
【００２１】
３．容器内容物がしみ出したり、漏れ出したりするのを回避して、密封効果及び使用上の利便性が高い。
【００２２】
４．ふた部分を開ける時に容器内容物が容易に人体にかかることがなく、使用上の安全性が高い。
【００２３】
５．嵌入部が容器出口との間で回転による摩擦で粉屑が発生するのを回避することで、容器内容物の品質を保全すると同時に、使用上の安全性を維持する。
【００２４】
以上、本考案の実施例について図面を参照して詳述したが、具体的な構成は、これらの実施例に限られるものではなく、本考案の要旨を逸脱しない範囲の設計変更などがあっても、本考案に含まれる。
【符号の説明】
【００２５】
１０  容器
１０１  容器出口
１０２  容器口部
１０２１  最外端
２０  嵌入部
２０１  嵌合部
２０２  位置固定部（位置固定用の環状突条）
３０  ふた部分
３０１  結合部
３０２  位置固定槽（位置固定用の環状溝）
【図１】
0003231705.tif 000003
【図２】
0003231705.tif 000004
【図３】
0003231705.tif 000005
【図４】
0003231705.tif 000006
【図５】
0003231705.tif 000007
【図６】
0003231705.tif 000008
【図７】
0003231705.tif 000009